(57)【特許請求の範囲】
【請求項１】
内容物を収容する有底筒状の内容器（１０）と、該内容器（１０）を内部に収納可能な外容器（Ａ）と、該外容器（Ａ）に着脱自在に装着される蓋体（４０）とを備えた二重容器であって、
該内容器（１０）の外周面に被押し上げ部（５０）を備え、
該外容器（Ａ）は、外容器本体（２０）と該外容器本体（２０）の上端部に係合する回動部材（３０）を備え、
該回動部材（３０）への回動力によって該内容器（１０）の該被押し上げ部（５０）を上方に押し上げ可能な押し上げ部（５１）が該外容器（Ａ）に配設されている
ことを特徴とする二重容器。
【請求項２】
前記被押し上げ部（５０）が前記内容器（１０）の底部（１２）の下面に形成された乗り越えリブ（１５）であり、且つ前記押し上げ部（５１）が前記外容器本体（２０）の底部（２２）の内周面に形成された乗り越え突部（２５）である請求項１に記載の二重容器。
【請求項３】
前記被押し上げ部（５０）が前記内容器（１０）の胴部１１の外周面に形成された乗り越えリブ（１５）であり、且つ前記押し上げ部（５１）が前記外容器（Ａ）の内周面に上向き三角形状に形成された乗り越え突部（２５、３５）である請求項１に記載の二重容器。
【請求項４】
前記乗り越え突部（２５）が前記外容器本体（２０）の内周面に形成されている請求項３に記載の二重容器。
【請求項５】
前記乗り越え突部（３５）が前記回動部材（３０）の内周壁部（３３ｂ）に形成されている請求項３に記載の二重容器。
【請求項６】
前記回動部材（３０）が、リング部材（３１ａ）の外周面の少なくとも一部に軟材質を設けた請求項１〜５のいずれかに記載の二重容器。
【発明の詳細な説明】
【技術分野】
【０００１】
本発明は、内容器に内容物を収容し、内容物を使い切ったのちに新たな内容器に付け替えることにより外容器を繰り返し使用できる二重容器に関する。
【背景技術】
【０００２】
従来より、内容物を収容する内容器と、この内容器を付替え可能に収納・保持ができて外装ケースとなる外容器とで構成し、内容物を使い切った後に、内容器だけを交換して資源の有効利用を図る二重容器か開示されている（例えば、特許文献１参照）。
【０００３】
しかしながら、このような二重容器において、内容器の付か替えのため外容器から内容器部分を抜き取る際に、内容器に手がかりとなる箇所がないためフランジ部と外容器の間に指先を無理やり挿入して隙間を形成して内容器を抜き出したり、あるいは内容物が付着して滑り易い口筒部を掴んだりして内容器を抜き出していた。そのため、二重容器の内容器の付け替え（レフィル）作業を確実かつ簡単に行う要求が高まっていた。
【先行技術文献】
【特許文献】
【０００４】
【特許文献１】特開平１１−３０１７３２号公報
【発明の概要】
【発明が解決しようとする課題】
【０００５】
本発明の目的は、上記課題を解決することであり、二重容器の内容器の付け替え（レフィル）作業が容易かつ確実に行うことができる二重容器を提供することである。
【課題を解決するための手段】
【０００６】
上記課題の解決手段として、本発明に係る二重容器は、
内容物を収容する有底筒状の内容器と、該内容器を内部に収納可能な外容器と、該外容器に着脱自在に装着される蓋体とを備えた二重容器であって、
該内容器の外周面に被押し上げ部を備え、
該外容器は、外容器本体と該外容器本体の上端部に係合する回動部材を備え、
該回動部材への回動力によって該内容器の該被押し上げ部を上方に押し上げ可能な押し上げ部が該外容器に配設されている
ことを特徴とする。
【０００７】
また、本発明に係る別の二重容器において、被押し上げ部が内容器の底部の下面に形成された乗り越えリブであり、且つ押し上げ部が外容器本体の底部の内周面に形成された乗り越え突部である。
【０００８】
また、本発明に係る別の二重容器において、被押し上げ部が内容器の胴部の外周面に形成された乗り越えリブであり、且つ押し上げ部が外容器の内周面に上向き三角形状に形成された乗り越え突部である。
【０００９】
また、本発明に係る別の二重容器において、乗り越え突部が外容器本体の内周面に形成されている。
【００１０】
また、本発明に係る別の二重容器において、乗り越え突部が回動部材の内周壁部に形成されている。
【００１１】
更に、本発明に係る別の二重容器において、回動部材がリング部材の外周面の少なくとも一部に軟材質を設けている。
【発明の効果】
【００１２】
本発明の上記した構成においては、以下に示す効果を奏する。
本発明では、回動部材を回動させることによって、押し上げ部が内容器の被押し上げ部を押し上げて内容器のフランジ部直下に指先を挿入できる隙間が形成されるため、付け替え（レフィル）作業を確実に行うことができる。また、本発明の二重容器を使用すれば回動部材を回動させるだけで内容器が押し上がるため、付け替え作業が容易に行うことができる。
【００１３】
また、本発明では、被押し上げ部を内容器の胴部の外周面に設けられるため、内容器底部と外容器本体の底部の隙間に無駄な空間を設けなくてもよいため、二重容器の小型化を図ることが可能である。
【００１４】
更に、本発明では、回動部材がリング部材の外周面の少なくとも一部に軟材質を設けているため、回動部材を外容器の上縁部の円周に沿って回動させる時に手の滑り止め効果が達成され、更には、内容器が押し上げられた時に不用意に外容器から抜けるのを抑制することができる。
【図面の簡単な説明】
【００１５】
【図１】本発明に係る二重容器の第１の実施形態における左半分が正面図、右半分が半縦断面図である。
【図２】第１の実施形態で使用される際の左半分が正面図、右半分が半縦断面図である。
【図３】内容器の概略説明図である。図３（ａ）が正面図であり、図３（ｂ）が底面図である。
【図４】外容器の概略説明図である。図４（ａ）が上面図であり、図４（ｂ）が左半分は正面図、右半分は半縦断面図である。
【図５】第１の実施形態において、内容器を取り外す時の概略説明図である。図５（ａ）の左半分が正面図、右半分が半縦断面図であり、且つ係合リブ付近の要部拡大図である。図５（ｂ）は乗り越えリブと乗り越え突部の様子を示す模式図である。
【図６】第１の実施形態において、内容器が上方に押し上がった時の概略説明図である。図６（ａ）の左半分が正面図、右半分が半縦断面図であり、且つ係合リブ付近の要部拡大図である。図６（ｂ）は乗り越えリブが乗り越え突部を乗り越す様子を示す模式図である。
【図７】本発明に係る二重容器の第２の実施形態における左半分が正面図、右半分が半縦断面図であり、且つ押し上げ部付近の要部拡大図である。
【図８】第２及び第３の実施形態における被押し上げ部と押し上げ部の概略説明図である。
【図９】本発明に係る二重容器の第３の実施形態における左半分が正面図、右半分が半縦断面図であり、且つ押し上げ部付近の要部拡大図である。
【発明を実施するための形態】
【００１６】
以下、本発明にかかる実施の形態について図面を参照しつつ説明する。
【００１７】
図１は本発明に係る二重容器の第１の実施形態における左半分が正面図、右半分が半縦断面図であり、図２は第１の実施形態における使用される際の左半分が正面図、右半分が半縦断面図である。
二重容器１は、内容物を収容する有底筒状の内容器１０と、内容器１０を内部に収納可能な外容器Ａと、外容器Ａの外容器本体２０の上端部に係合する回動部材３０と、外容器Ａに着脱自在に装着される蓋体４０とを備え、内容器１０の外周面に被押し上げ部５０を有し、この被押し上げ部５０を上方に押し上げ可能な押し上げ部５１を外容器Ａに有している。
【００１８】
内容器１０は、図３に示すように筒状の胴部１１と、胴部１１の下端にて一体連結する底部１２と、胴部１１の上端部には外鍔状のフランジ部１３を形成している。内容器１０の未開封時において、フランジ部１３の上端面にはシール材１３ａが配設されている。フランジ部１３直下の胴部１１外周面には、係合リブ１４が突設されている。底部１２の下面には、乗り越えリブ１５が下方に突設されている。そして乗り越えリブ１５は、内容器１０を上方に押し上げる被押し上げ部５０である。
【００１９】
内容器１０を内部に収納可能な外容器Ａは、いわゆる外装ケースとなるものであり、図４に示すように外容器本体２０とこの外容器本体２０の上端部に係合する回動部材３０から構成される。外容器本体２０は、周壁部２１と底部２２を備えている。周壁部２１の上部には縮径した口頸部２３が形成されており、口頸部２３の外周面には蓋体４０と螺合するためのネジ部２３ａが周設されている。そして、口頸部２３の上部には起立筒２３ｂが垂設している。なお、底部２２の内周面には、上方に向けて突出する乗り越え突部２５が突設されており、この乗り越え突部２５は内容器１０を上方に押し上げる押し上げ部５１である。
【００２０】
回動部材３０は、外容器本体２０の上端部である起立筒２３ｂの縁部の円周に沿って回動可能に係合している。回動部材３０は、リング部材３１ａをインサート材としその外周面の少なくとも一部に、軟材質であるエラストマーのインサート成形より頂板３２、外周壁部３３ａや内周壁部３３ｂに軟材質（エラストマー層）３１ｂを設けている。このように外周壁部３３ａにエラストマー層３１ｂが設けられているため、回動部材３０を起立筒２３ｂの縁部の円周に沿って回動させる時に手の滑り止め効果を期待でき、また、内周壁部３３ｂのエラストマー層３１ｂが内容器１０の係合リブ１４と締め係合しているため、内容器１０が上方に押し上がった時に不用意に外容器Ａから抜けるのを抑制できる。そして、内周壁部３３ｂのエラストマー層３１ｂより下方には、係合突部３４が突設されている。
【００２１】
蓋体４０は、頂壁部４１と周壁部４２を形成しており、頂壁部４１の下面には内容器１０の上部開放端との間をシールする為のパッキン４３を備えている。周壁部４２の内周面には口頸部２３のネジ部２３ａに螺合可能なネジ部が形成されている。
【００２２】
次に、図示した第１の実施形態例での動作例を順に説明する。
【００２３】
図２に示されるように使用により内容物を使い切った状態から、内容器１０を付け替えるためには、まず初めに内容器１０のフランジ部１３の下方の回動部材３０を起立筒２３ｂの縁部の円周に沿って回動させる。回動部材３０の外周壁部３３ａにはエラストマー層３１ｂが設けられているため、回動時に手の滑り止め効果を発揮する。
【００２４】
回動前は、内容器１０の係合リブ１４と回動部材３０の係合突部３４は接していないが、回動部材３０への回動力によって、係合リブ１４と係合突部３４が当接する。この当接後、回動部材３０への回動動作に伴い係合リブ１４を備えた内容器１０も一緒に回動し始める。内容器１０への回動動作を続けると、図５（ｂ）に示す被押し上げ部５０の乗り越えリブ１５と押し上げ部５１の乗り越え突部２５が離れた状態から、図６（ｂ）の実線の乗り越えリブ１５と乗り越え突部２５が当接し合い、その後の回動によって破線で示されるように内容器１０の底部１２の下面に形成された乗り越えリブ１５が、外容器本体２０の底部２２の内周面に上方に向けて突出された乗り越え突部２５を乗り越える。この乗り越えリブ１５による乗り越えによって、内容器１０は上方に押し上げられ、内容器１０のフランジ部１３と回動部材３０の間には、内容器１０を摘んで取り外す時に指先を差し入れ可能となる隙間５２が形成され、内容器１０が外容器Ａから取り外し可能となる。
【００２５】
乗り越えリブ１５が乗り越え突部２５を乗り越し、内容器１０が上方に押し上げられた時、係合リブ１４と係合突部３４の引っ掛かりは外れた状態となり内容器１０が取り外し易くなっている。そして、内容器１０の係合リブ１４は、内周壁部３３ｂのエラストマー層３１ｂとの係合し続けており、内容器１０は回動部材３０を介して外容器Ａに対し係合されているため、隙間５２を設けた状態から内容器１０に引き抜く力を加えない限り不用意に外れることを防止することができる。
【００２６】
次に、本発明の他の実施形態について説明する。
図７及び図８は第２の実施形態を示すものであり、上記第１の実施形態の二重容器と異なる点は、主として被押し上げ部５０、押し上げ部５１と回動部材３０が内容器１０を回動させる構成である。
【００２７】
本発明の二重容器１に用いられる被押し上げ部５０は、鋸歯状の凹凸面の乗り越えリブ１５を形成し、押し上げ部５１がそれと同様に鋸歯状の凹凸面の乗り越え突部２５を形成している（図８参照）。なお、図８は外容器本体側を見た図面であり、押し上げ部５１が実線で、押し上げ部５１と組み合う被押し上げ部５０は破線である。つまり、被押し上げ部５０は、内容器１０の外周面に形成された乗り越えリブ１５を有し、押し上げ部５１はこの乗り越えリブ１５に対向する面である外容器Ａの内周面に上向き三角形状に形成された乗り越え突部２５を有す。
本第２の実施形態では、被押し上げ部５０を内容器１０の胴部１１の外周面に下向き三角形状に形成された乗り越えリブ１５とし、且つ押し上げ部５１を外容器本体２０の内周面に上向き三角形状に形成された乗り越え突部２５とし、これらを互いに噛合せることにより押し上げが達成されるように配置している。
【００２８】
そして、第２の実施形態では、内周壁部３３ｂのエラストマー層３１ｂが下部にて間欠的に拡径し、内容器１０はエラストマー層３１ｂにて締め嵌合されている。また、内容器１０の胴部１１上部の係合リブ１４と回動部材３０の係合突部３４が設けられているため、回動部材３０を起立筒２３ｂの縁部の円周に沿って回動することにより内容器１０も一緒に回動し始める。内容器１０への回動動作を続けると、内容器１０の胴部１１の外周面に下向き三角形状に形成された乗り越えリブ１５が、外容器本体２０の口頸部２３の内周面に上向き三角形状に形成された乗り越え突部２５に当接し、乗り越えリブ１５は乗り越え突部２５の斜面に沿って徐々に上方に移動する。この乗り越えリブ１５の上方への移動に伴い内容器１０は上方に押し上げられ、乗り越えリブ１５が乗り越え突部２５の三角形の頂点部分に達した時に内容器１０が最も上方に押し上げられる。この内容器１０の押し上げによって隙間５２が形成され、外容器Ａから内容器１０が取り外し可能となる。
【００２９】
図８及び図９は第３の実施形態を示すものであり、上記第１の実施形態の二重容器と異なる点は、主として被押し上げ部５０、押し上げ部５１の配置位置と、係合リブ１４と廻り止めリブ２４及び回動部材３０の構成である。
【００３０】
第３の実施形態の二重容器において、内容器１０の係合リブ１４は胴部１１が拡径する箇所の直下に形成されており、外容器本体２０の廻り止めリブ２４は口頸部２３の内周面に形成されている。本第３の実施形態では、被押し上げ部５０を内容器１０のフランジ部１３直下の胴部１１の外周面に形成された乗り越えリブ１５とし、押し上げ部５１を回動部材３０の内周壁部３３ｂに上向き三角形状に形成された乗り越え突部３５とし、これらを互いに噛合せるように配置している。回動部材３０に乗り越え突部３５を形成するため、当接した時に撓み易い軟材質３１ｂを形成せずリング部材３１ａだけで回動部材３０は構成されている。なお、回動時の滑り止め防止のため、外周壁部３３ａにだけ軟材質３１ｂを設けても構わない。
【００３１】
そして、第３の実施形態では、付替え当初から内容器１０は係合リブ１４と廻り止めリブ２４を介して外容器本体２０に係止された状態である。この状態では内容器１０がそれ以上回動することはないため、回動部材３０への回動動作を行うと、内容器１０の胴部１１の外周面に下向き三角形状に形成された乗り越えリブ１５が、回動部材３０の内周壁部３３ｂに上向き三角形状に形成された乗り越え突部３５に当接し、乗り越えリブ１５は乗り越え突部３５の斜面に沿って徐々に上方に移動し、乗り越えリブ１５の上方への移動に伴い内容器１０は上方に押し上げられる。この内容器１０の押し上げによって隙間５２が形成され、外容器Ａから内容器１０が取り外し可能となる。
【００３２】
以上、実施形態に沿って本発明の構成とその作用効果について説明したが、本発明の実施の形態は上記実施形態に限定されるものではない。
【００３３】
上記実施形態では、被押し上げ部５０と押し上げ部５１をそれぞれ一つ有する構成を説明したが、これらを底部と側面の２箇所にそれぞれ設けてより確実に押し上る構成等のその他の構成であっても構わない。また、第２の実施形態で乗り越え突部２５を口頸部２３の内周面に設けたが、周壁部２１の内周面でも構わず、同様に第３の実施形態での廻り止めリブ２４も周壁部２１の内周面でも構わない。また、上記実施形態では軟材質３１ｂにインサート成形を用いたが、溶着、融着、メルト材や超音波溶着等の手法を用いても構わないし、軟材質もエラストマーに限定されるものではない。更に、第２及び３の実施形態における内容器１０の被押し上げ部５０となる乗り越えリブ１５の形状は、下向き三角形状以外にも押し上げ部５１の上向き三角形状に沿って上方に押し上げられる形状であれば特に限定されるものではない。
【産業上の利用可能性】
【００３４】
以上説明したように、本発明の二重容器は、二重容器における内容器の付け替え（レフィル）作業が容易かつ確実に行えるため二重容器を備えた容器の分野における用途展開を更に広い領域で図ることができる。
【符号の説明】
【００３５】
１    ；二重容器
１０  ；内容器
１１  ；胴部
１２  ；底部
１３  ；フランジ部
１３ａ；シール材
１４  ；係合リブ
１５  ；乗り越えリブ
２０  ；外容器本体
２１  ；周壁部
２２  ；底部
２３  ；口頸部
２３ａ；ネジ部
２３ｂ；起立筒
２４  ；廻り止めリブ
２５  ；（外容器）乗り越え突部
３０  ；回動部材
３１ａ；リング部材
３１ｂ；軟材質（エラストマー層）
３２  ；頂板
３３ａ；外周壁部
３３ｂ；内周壁部
３４  ；係合突部
３５  ；（回動部材）乗り越え突部
４０  ；蓋体
４１  ；頂壁部
４２  ；周壁部
４３  ；パッキン
５０  ；被押し上げ部手段
５１  ；押し上げ部
５２  ；隙間
Ａ    ；外容器
【図１】
0006478241.tif 000002
【図２】
0006478241.tif 000003
【図３】
0006478241.tif 000004
【図４】
0006478241.tif 000005
【図５】
0006478241.tif 000006
【図６】
0006478241.tif 000007
【図７】
0006478241.tif 000008
【図８】
0006478241.tif 000009
【図９】
0006478241.tif 000010